(57)【特許請求の範囲】
【請求項１】
少なくとも１本の太径ストランドとこの太径ストランンドより細い複数の細径ストランドとからなる組紐を漁具の少なくとも一部に用いたことを特徴とする組紐を用いた漁具。
【請求項２】
前記組紐を網脚に用いるとともに、１網目を形成する４辺のうち相対向する１対の辺の網脚をそれぞれ前記太径ストランドの螺旋方向を同一方向とさせ、かつ、他の１対の辺の網脚の前記太径ストランドの螺旋方向と逆方向とさせている組紐を用いた左右螺旋網を網部分の少なくとも一部に用いたことを特徴とする請求項１に記載の組紐を用いた漁具。
【請求項３】
前記組紐をトロール網の揚力を発生させるヘッドロープ、沈降力を発生させるフットロープ、ブレストライン、リブライン、レーシングラインおよび引き綱よりなる群から選択された少なくとも１つに用いることを特徴とする請求項１または請求項２に記載の組紐を用いた漁具。
【請求項４】
少なくとも１本の太径ストランドとこの太径ストランンドより細い複数の細径ストランドとからなる組紐を漁具の少なくとも一部とした漁具を用いて行なうことを特徴とする漁法。
【請求項５】
前記組紐を網脚に用いるとともに、１網目を形成する４辺のうち相対向する１対の辺の網脚をそれぞれ前記太径ストランドの螺旋方向を同一方向とさせ、かつ、他の１対の辺の網脚の前記太径ストランドの螺旋方向と逆方向とさせている組紐を用いた左右螺旋網を網部分の少なくとも一部とした漁具を用いて行なうことを特徴とする請求項４に記載の漁法。
【請求項６】
前記組紐をトロール網の揚力を発生させるヘッドロープ、沈降力を発生させるフットロープ、ブレストライン、リブライン、レーシングラインおよび引き綱よりなる群から選択された少なくとも１つに用いることを特徴とする請求項４または請求項５に記載の漁法。
【発明の詳細な説明】
【０００１】
【発明の属する技術分野】
本発明は、組紐を用いた漁具およびこの漁具を用いた漁法に関する。
【０００２】
【従来の技術および発明が解決しようとする課題】
一般に、トロール漁法、かけまわし漁法等の各種の漁法においては、それぞれの漁法にあわせた漁具としてトロール網、かけまわし網等が用いられている。
【０００３】
これらの漁網は操業時には漁獲量を多くして効率的な漁法を実現するために拡網する必要がある。特に、トロール網においては、袖網や身網を大きく拡網する必要がある。
【０００４】
サフワット（ＳＡＦＷＡＴ）等は国際公開第ＷＯ９７／１３４０７号公報において、トロール網の網地を形成する網脚の素材を断面が偏平な帯状物としたり、２本のロープを所定長さのリードで撚った複数撚りのロープとしたりすることにより、トロール網の網地自体が拡網作用を有するトロールシステムを提案している。
【０００５】
ところが、この従来例によれば、トロール網の網地自体によって拡網作用を発揮させることができるが、前記の断面が偏平な帯状物や複数撚りのロープ等を網に編むことが非常に困難であり、編網作業効率が悪く、コストが高いという不都合があった。
【０００６】
また、前記公報にはトロール網の編網には作業効率的に優れている組紐を網脚に用いることが示唆されている。なぜならば、網地にトルクが発生せず、平滑面の網地が使用可能であり、１本の組紐を網脚に用いるとトワインの引き揃えが容易であり、破断強度も大きく向上し、端末部に輪を形成するスプライス加工が容易であり、仕立て時間の短縮が可能であり、使用後のメンテナンスも同様に時間短縮可能である。
【０００７】
ところが、前記公報にては、組紐を網脚に用いても拡網作用を発揮することができないので、組紐は網地の素材として不適当であると分類されている。
【０００８】
本発明はこれらの点に鑑みてなされたものであり、前記従来例における組紐を採用できないとする困難性を克服して、構成を工夫した組紐を用い、水流を受けると拡網作用を発揮することができるとともに、網としての仕立て作業性およびメンテナンス性にも優れている組紐を用いた漁具およびこの漁具を用いた漁法を提供することを目的とする。
【０００９】
【課題を解決するための手段】
前記目的を達成するために本発明者は鋭意研究し、組紐を構成する複数のストランドの内の少なくとも１本のストランドを太い太径ストランドとするとともに、太径ストランドより細い複数の細ストランドとにより組紐を形成し、その太径ストランドを網脚において互いに逆方向の螺旋とした螺旋方向の異なる網脚を用いることにより、拡網作用を発揮させることができることを発見して本発明を完成させた。
【００１０】
また、太径ストランンドを螺旋状に形成させた組紐は、例えば水平方向に流れる流体内に配置されると、螺旋の方向によって揚力または沈降力を受けることを発見して本発明を完成させた。
【００１１】
前記目的を達成するために請求項１に記載の本発明の左右螺旋網を用いた漁具は、少なくとも１本の太径ストランドとこの太径ストランンドより細い複数の細径ストランドとからなる組紐を漁具の少なくとも一部に用いたことを特徴とする。
【００１２】
このように構成することにより、組紐の太径ストランドがその螺旋方向に従って流体より組紐を移動させる力を受けて、漁具を所定方向に移動せしめる。
【００１３】
前記目的を達成するために請求項２に記載の本発明の組紐を用いた漁具は、前記組紐を網脚に用いるとともに、１網目を形成する４辺のうち相対向する１対の辺の網脚をそれぞれ前記太径ストランドの螺旋方向を同一方向とさせ、かつ、他の１対の辺の網脚の前記太径ストランドの螺旋方向と逆方向とさせている組紐を用いた左右螺旋網を網部分の少なくとも一部に用いたことを特徴とする。
【００１４】
このように構成することにより、網部分の少なくとも一部に用いた左右螺旋網が脚を組紐とした網であり、しかも１網目を形成する４辺のうち相対向する１対の辺の網脚をそれぞれ前記太径ストランドの螺旋方向を同一方向とさせ、かつ、他の１対の辺の網脚の前記太径ストランドの螺旋方向と逆方向とさせることにより網地自身が拡網作用を発揮させることができる漁具となる。しかも、網としての仕立て作業性およびメンテナンス性にも極めて優れたものとなる。すなわち、網地にトルクが発生せず、平滑面の網地が使用可能であり、１本の組紐を網脚に用いるとトワインの引き揃えが容易であり、破断強度も大きく向上し、端末部に輪を形成するスプライス加工が容易であり、仕立て時間の短縮が可能であり、使用後のメンテナンスも同様に時間短縮可能である。
【００１５】
前記目的を達成するために請求項３に記載の本発明の組紐を用いた漁具は、前記組紐をトロール網の揚力を発生させるヘッドロープ、沈降力を発生させるフットロープ、ブレストライン、リブライン、レーシングラインおよび引き綱よりなる群から選択された少なくとも１つに用いることを特徴とする。
【００１６】
このように構成することにより、ヘッドロープは揚力を発生させ、フットロープは沈降力を発揮させ、ブレストライン、リブライン、レーシングラインおよび引き綱もそれぞれ拡網力を発揮させるので、トロール網は網口を上下左右に大きく開口させられることになる。また、前記左右螺旋網と一緒に用いれば、左右螺旋網による拡網作用も同時に発揮させて網口を十分に開口させることができる。
【００１７】
前記目的を達成するために請求項４に記載の本発明の漁具を用いた漁法は、少なくとも１本の太径ストランドとこの太径ストランンドより細い複数の細径ストランドとからなる組紐を漁具の少なくとも一部とした漁具を用いて行なうことを特徴とする。
【００１８】
このように構成することにより、組紐の太径ストランドがその螺旋方向に従って流体より組紐を移動させる力を受けることにより、漁具を所定方向に移動せしめながら漁獲作業を行うことができる。
【００１９】
前記目的を達成するために請求項５に記載の本発明の漁具を用いた漁法は、前記組紐を網脚に用いるとともに、１網目を形成する４辺のうち相対向する１対の辺の網脚をそれぞれ前記太径ストランドの螺旋方向を同一方向とさせ、かつ、他の１対の辺の網脚の前記太径ストランドの螺旋方向と逆方向とさせている組紐を用いた左右螺旋網を網部分の少なくとも一部とした漁具を用いて行なうことを特徴とする。
【００２０】
このように構成することにより、網地自身が拡網作用を有する漁具を用いて漁獲することができ、効率的な漁業を行なうことができる。
【００２１】
前記目的を達成するために請求項６に記載の本発明の漁具を用いた漁法は、前記組紐をトロール網の揚力を発生させるヘッドロープ、は沈降力を発生させるフットロープ、ブレストライン、リブライン、レーシングラインおよび引き綱よりなる群から選択された少なくとも１つに用いることを特徴とする。
【００２２】
このように構成することにより、ヘッドロープは揚力を発生させ、フットロープは沈降力を発揮させ、ブレストライン、リブライン、レーシングラインおよび引き綱もそれぞれ拡網力を発揮させるので、トロール網の網口を上下左右に大きく開口させた状態で漁獲作業を行うことができる。また、前記左右螺旋網と一緒に用いれば、左右螺旋網による拡網作用も同時に発揮させて網口を十分に開口させた状態で漁獲作業を行うとができる。
【００２３】
【発明の実施の形態】
以下、本発明の実施の形態を図１から図１１について説明する。
【００２４】
図１から図３は本発明の組紐を用いた漁具の１実施形態を示す。
【００２５】
本実施形態においては組紐によって形成した左右螺旋網１を用いて漁具としてのトロール網９を形成したものである。トロール網９は図１に全体を示すように、柚網９ａと身網９ｂとを組紐を用いた左右螺旋網１により形成したものである。この左右螺旋網１は、図２および図３に示すように、少なくとも１本（本実施形態においては１本）の太い太径ストランド２とこの太径ストランンド２より細い複数の細径ストランド３（本実施形態においては７本）とからなる組紐４を網脚に用いるとともに、１網目を形成する４辺のうち相対向する１対の辺（図２の実線の辺）の網脚４Ｌをそれぞれ前記太径ストランド２の螺旋方向を同一方向とさせ、かつ、他の１対の辺（図２の破線の辺）の網脚４Ｒの前記１本の太いストランド２の螺旋方向と逆方向とさせるように形成したものである。即ち、一方の網脚４Ｌにおける太径ストランド２の螺旋方向は、左ねじのように左螺旋とされており、他方の網脚４Ｒにおける太径ストランド２の螺旋方向は、右ねじのように右螺旋とされている。この組紐の合計ストランド数は８本、１６本等の２のべき乗や、１２本等のように目的に応じて選択するとよい。
【００２６】
本実施形態の組紐を用いた左右螺旋網１によれば、１網目を形成する４辺のうち相対向する１対の辺の網脚４Ｌをそれぞれ前記太径ストランド２の螺旋方向を同一方向とさせ、かっ、他の１対の辺の網脚４Ｒの前記太径ストランド２の螺旋方向と逆方向とさせることにより網地自身が拡網作用を発揮させることができる。
【００２７】
次に、この拡網作用について図４から図１０により本実施例と従来例とを比較して説明する。
【００２８】
実験装置の概要
図４は網目の半目に相当する部分の水流に対する揚力Ｌと抗力Ｄとの特性を検出するための装置であり、網目の先端を固定する脚５Ａと網目の半目の下流端を固定する２本の脚５Ｌ、５Ｒとの上に測定板６を設置し、当該測定板６の上に三分力計からなるロードセル７を固定したものである。このロードセル７からは増幅器、演算器を通して検出結果が出力され、適宜な記録計に記録されるようになっている。脚５Ａと脚５Ｌ、５Ｒとの間に展張されたロープ８ａ、８ｂは、図５に示すように、開き角αをもって設置されるとともに、図６に示すように、迎角θをもって設置される。
【００２９】
本実験においては図７ａ〜ｃに示すように、水流がロープ８ａ、８ｂに作用した場合の揚力Ｌ（水流方向に対して水平な分力）と抗力Ｄ（水流方向に対して垂直な成分）とを、迎角θを一定（１０度）とし、開き角αを１０度、１５度、２０度、２５度に変化させて測定した。
【００３０】
そして、本実施形態の場合は、ロープ８ａとして図３に示すような１本の太いストランド２を左螺旋とさせた組紐４Ｌを用い、ロープ８ｂとして図３に示すような１本の太いストランド２を右螺旋とさせた組紐４Ｒを用い、従来の比較例としては、ロープ８ａ、８ｂともＺ撚りの撚り糸の構成とした。
【００３１】
実験の結果
迎角が１０度の場合の抗力係数（ＣＤ）と開き角αとの関係を図８に示す。
【００３２】
迎角が１０度の場合の揚力係数（ＣＬ）と開き角αとの関係を図９に示す。
【００３３】
迎角が１０度の場合の揚抗比（ＣＬ／ＣＤ）と開き角αの関係を図１０に示す。
【００３４】
用語の説明
抗力係数（ＣＤ）は、水流方向に対して水平の分力である抗力（Ｄ）の係数で、
ＣＤ＝２Ｄ／ρＳＵ2
で求められる。ただし、ρ：水の密度、Ｓ：代表面積、Ｕ：流速である。
【００３５】
揚力係数（ＣＬ）は、水流方向に対して垂直の分力（Ｌ）の係数で、
CＬ＝２Ｌ／ρＳＵ2
で求められる。ただし、ρ：水の密度、Ｓ：代表面積、Ｕ：流速である。
【００３６】
代表面積（Ｓ）は、抗力係数（ＣＤ）、揚力係数（ＣＬ）を求める際に用いる面積である。同実験で用いた面積は、ロープ８ａ、８ｂが流れ方向に垂直に置かれた場合の投影面積を用いた。
【００３７】
揚抗比（ＣＬ／ＣＤ）は、網の展開能力を示す係数を示す。揚抗比（ＣＬ／ＣＤ）は、揚力係数（ＣＬ）と抗力係数（ＣＤ）の比率によって求められる。
【００３８】
図７〜図９に示すように、抗力係数（ＣＤ）、揚力係数（ＣＬ）および揚抗比（ＣＬ／ＣＤ）のいずれにおいても、本実施形態のロープの方が従来例に基づく比較例より大きく優れている。
【００３９】
従って、本実施形態の組紐を用いた左右螺旋網１は、図４から図７に示すように互いに螺旋方向が異なる組紐４Ｌ、４Ｒに作用する揚力Ｌが網の拡網方向に作用するように前記組紐４Ｌ、４Ｒを配置すれば、拡網作用が十分に発揮される網となり、漁具に好適なものである。
【００４０】
図１のトロール網９は、前記のように形成されている組紐を用いた左右螺旋網１により柚網９ａと身網９ｂとを形成したものである。更に説明すれば、柚網９ａと身網９ｂとを構成する左右螺旋網１を、互いに螺旋方向が異なる組紐４Ｌ、４Ｒに作用する揚力Ｌが網の拡網方向に作用するように前記組紐４Ｌ、４Ｒを配置するように形成する。即ち、トロール網９の上側、下側、右側、左側において、前記揚力Ｌの方向がそれぞれ上向き、下向き、右向き、左向きに作用するように前記組紐４Ｌ、４Ｒを配置する。
【００４１】
このトロール網９を例えば海中の中層において曳網すると、柚網９ａおよび身網９ｂにおいて左右、上下に網の中空部を介して対向して配置されている左右螺旋網１の各網目の上流側半目部分が、それぞれ水流に対して網を拡網する方向に図３から図６に示す揚力Ｌを発生させて、網の中空部を介して対向している距離を更に大きくするように拡網して離間することとなり、トロール網９がより大きく開口されることとなる。
【００４２】
従って、本実施形態の左右螺旋網１によれば、網脚を組紐とした網を得ることができ、しかも１網目を形成する４辺のうち相対向する１対の辺の網脚４Ｌをそれぞれ前記太径ストランド２の螺旋方向を同一方向とさせ、かっ、他の１対の辺の網脚４Ｒの前記太径ストランド２の螺旋方向と逆方向とさせることにより網地自身が拡網作用を発揮させることができる。
【００４３】
また、網部分の少なくとも一部に左右螺旋網１を用いることにより、当該左右螺旋網１が拡網作用を発揮することにより網地自身が拡網作用を有するトロール網９等の漁具を得ることができる。
【００４４】
また、このように構成されているトロール網９を用いてトロール漁業を行なえば、網地自身が拡網作用を有する漁具を用いて漁獲することができ、効率的な漁業を行なうことができる。
【００４５】
図１１は本発明の他の実施の形態を示し、トロール網９のヘッドロープ１０およびフットロープ１１を、少なくとも１本の太径ストランドとこの太径ストランンドより細い複数の細径ストランドとからなる組紐にてよって形成したものである。この組紐としては、図３に示す網脚４Ｌ、４Ｒと同様に形成されているものを用いることができる。特に、一方のヘッドロープ１０としては揚力を発生させるように太径ストランドの螺旋方向とされ、他方のフットロープ１１としては沈降力を発生させるような太径ストランドの螺旋方向とされている。これによりトロール網９の網口を上下に大きく開口させた状態で漁獲作業を行うことができる。
【００４６】
また、このような組紐はその太径ストランドの螺旋方向に従って流体より組紐を移動させる力を受けることになるために、漁具としてのトロール網９において、前記のヘッドロープ１０やフットロープ１１以外の部分、例えば、ブレストライン、リブライン、レーシングライン、引き綱等のロープ類を用いる部分に対して設計コンセプトにおい応じて適宜に選択して用いるとよい。これにより漁具を所定方向に移動せしめながら漁獲作業を行うことができる。更に、このような組紐を図１に示すトロール網９と組み合わせて用いることにより、網口をより大きく確実に開口させるようにしてもよい。
【００４７】
また、本発明は前記各実施の形態に限定されることはなく、必要に応じて種々の変更をすることができる。
【００４８】
【発明の効果】
このように請求項１に記載の本発明の組紐を用いた漁具は構成され作用するものであるから、組紐の太径ストランドがその螺旋方向に従って流体より組紐を移動させる力を受けて、漁具を所定方向に移動せしめることができる。
【００４９】
また、請求項２に記載の本発明の組紐を用いた漁具は、網部分の少なくとも一部に用いた左右螺旋網が脚を組紐とした網であり、しかも１網目を形成する４辺のうち相対向する１対の辺の網脚をそれぞれ前記太径ストランドの螺旋方向を同一方向とさせ、かつ、他の１対の辺の網脚の前記太径ストランドの螺旋方向と逆方向とさせることにより網地自身が拡網作用を発揮させることができる漁具となる。しかも、網としての仕立て作業性およびメンテナンス性にも極めて優れたものとなる。すなわち、網地にトルクが発生せず、平滑面の網地が使用可能であり、１本の組紐を網脚に用いるとトワインの引き揃えが容易であり、破断強度も大きく向上し、端末部に輪を形成するスプライス加工が容易であり、仕立て時間の短縮が可能であり、使用後のメンテナンスも同様に時間短縮可能である。
【００５０】
また、請求項３に記載の本発明の組紐を用いた漁具は、ヘッドロープが揚力を発生させ、フットロープは沈降力を発揮させ、ブレストライン、リブライン、レーシングラインおよび引き綱もそれぞれ拡網力を発揮させるので、トロール網は網口を上下に大きく開口させられることになる。また、前記左右螺旋網と一緒に用いれば、左右螺旋網による拡網作用も同時に発揮させて網口を十分に開口させることができる。
【００５１】
また、請求項４に記載の本発明の漁具を用いた漁法によれば、組紐の太径ストランドがその螺旋方向に従って流体より組紐を移動させる力を受けることにより、漁具を所定方向に移動せしめながら漁獲作業を行うことができる。
【００５２】
また、請求項５に記載の本発明の漁具を用いた漁法によれば、網地自身が拡網作用を有する漁具を用いて漁獲することができ、効率的な漁業を行なうことができる。
【００５３】
また、請求項６に記載の本発明の漁具を用いた漁法によれば、ヘッドロープは揚力を発生させ、フットロープは沈降力を発揮させ、ブレストライン、リブライン、レーシングラインおよび引き綱もそれぞれ拡網力を発揮させるので、トロール網の網口を上下に大きく開口させた状態で漁獲作業を行うことができる。また、前記左右螺旋網と一緒に用いれば、左右螺旋網による拡網作用も同時に発揮させて網口を十分に開口させた状態で漁獲作業を行うとができる。
【図面の簡単な説明】
【図１】  図２および図３に示す左右螺旋網を用いたトロール網を示す平面図
【図２】  本発明の組紐を用いた左右螺旋網の１実施の形態を示す概略図
【図３】  図２の３部分の拡大図
【図４】  網目の半目に相当する部分の水流に対する揚力Ｌと抗力Ｄとの特性を検出するための装置の斜視図
【図５】  図４のロープ部分の平面図
【図６】  図４の正面図
【図７】  ａ〜ｃはそれぞれ図４のロープ部分に作用する揚力と抗力との関係を示す図
【図８】  迎角が１０度の場合の抗力係数（ＣＤ）と開き角αとの関係を示す特性図
【図９】  迎角が１０度の場合の揚力係数（ＣＬ）と開き角αとの関係を示す特性図
【図１０】  迎角が１０度の場合の揚抗比（ＣＬ／ＣＤ）と開き角αの関係を示す特性図
【図１１】  本発明の他の実施の形態のトロール網を示す斜視図
【符号の説明】
１  組紐を用いた左右螺旋網
２  太径ストランド
３  細径ストランド
４  網脚
９  トロール網
１０  ヘッドロープ
１１  フットロープ
【図１】
0003874957.tif 000002
【図２】
0003874957.tif 000003
【図３】
0003874957.tif 000004
【図４】
0003874957.tif 000005
【図５】
0003874957.tif 000006
【図６】
0003874957.tif 000007
【図７】
0003874957.tif 000008
【図８】
0003874957.tif 000009
【図９】
0003874957.tif 000010
【図１０】
0003874957.tif 000011
【図１１】
0003874957.tif 000012